(57)【要約】【課題】横部材からの効率的な取り外しが可能であり、外れ止め同士が干渉したり、不用意な衝撃に伴う荷崩れのおそれなしに床付き布わくを直線的に積層できるつかみ金具およびその金具を備えた床付き布わくを提案する。【解決手段】つかみ金具を、下向きに開放された凹所を有し、該凹所の開放端を通して該横部材に引っ掛けるフックと、該フックの側面に設けられる外れ止めとを備えたもので構成する。フックは、一方の側面に、上下２本のスタッドを有するものとし、該外れ止めは、上下２つの長孔と、外縁部の対向位置に形成された凸部、凹部とを有するものとし、フックのロック状態で該凸部が該外れ止めの頂部に位置し、該凹部が該外れ止めの下部に位置するように構成する。【選択図】  図１
2020090794.tif 000002
【特許請求の範囲】
【請求項１】
床付き布わくの長手方向の端部に設けられ、足場を構築する横部材に連係させることにより該床付き布わくを該横部材に取り付ける床付き布わくのつかみ金具であって、
下向きに開放された凹所を有し、該凹所の開放端を通して該横部材に引っ掛けるフックと、該フックの側面に設けられ、爪部を該凹所の開放端に位置させることにより該フックをロック状態に保持して該床付き布わくの、該横部材からの取り外しを不能とする一方、該爪部を該凹所の開放端から退避させることにより該フックのロックを解除して該床付き布わくの、該横部材からの取り外しを可能とする外れ止めとを備え、
前記フックは、一方の側面に、先端に頭部を有し上下に間隔を隔てて固定保持される上下２本のスタッドを有し、
該外れ止めは、各スタッドをそれぞれ挿通させるとともに該スタッドにて該外れ止めそのものをフックの側面に吊り下げ保持する上下２つの長孔と、外縁部の対向位置に形成された凸部、凹部とを有し、該上下２つの長孔の、該スタッドに対する位置変更により曲線軌道を描くよう上下に移動可能であり、かつ、該フックのロック状態で該凸部が該外れ止めの頂部に位置し、該凹部が該外れ止めの下部に位置するものである、ことを特徴とする床付き布わくのつかみ金具。
【請求項２】
前記凹部は、前記凸部と同一形状になる他の凸部の受け入れを可能とし、該他の凸部の受け入れ状態において床付き布わくの長手方向に沿う移動を不能とする開放面を有し、
前記凸部は、該凹部と同一形状になる他の凹部に適合可能で、該他の凹部との適合状態において該床付き布わくの長手方向に沿う移動を不能とする膨出突端を有することを特徴とする請求項１に記載した床付き布わくのつかみ金具。
【請求項３】
前記凹部の開放面は、前記横部材の外表面に適合可能な開放面であることを特徴とする請求項２に記載した床付き布わくのつかみ金具。
【請求項４】
前記長孔のうち、下側に位置する長孔は、一端が該長孔の開口部につながり、他端に行き止まり端が形成された切欠き部を有し、該切欠き部は、下側に位置するスタッドを入込むことにより前記凹所の開放端に位置させて前記床付き布わくを該凹部を介して前記横部材の上に仮預け状態に保持するものであることを特徴とする請求項１〜３のいずれか１項に記載した床付き布わくのつかみ金具。
【請求項５】
前記長孔のうち、上側に位置する長孔は、上側に位置するスタッドの少なくとも一部分が入り込む切欠き部を有することを特徴とする請求項１〜４のいずれか１項に記載した床付き布わくのつかみ金具。
【請求項６】
前記フックの頭頂は、前記床付き布わくの床板面と高さと同じ高さであることを特徴とする請求項１〜５のいずれか１項に記載した床付き布わくのつかみ金具。
【請求項７】
請求項１〜６のいずれか１項に記載したつかみ金具を備えた床付き布わくであって、
該床付き布わくの長手方向の端部に固定保持され、該端部から前記フックの少なくとも引っ掛かり中心に至るまでの領域を該床付き布わくの床面板の延長線上において覆い隠すカバーを備え、
前記カバーは、一端が該床面板につながり、他端が前記フックの少なくとも引っ掛かり中心に位置するカバー本体と、該カバー本体の下方に位置して該カバー本体を支える支持板からなり、
該支持板は、該カバー本体の他端につながりアール（Ｒ）を付加して折り曲げられた湾曲壁部と、該湾曲壁部につながり該カバー本体の裏面に向けて隆起した膨出壁部と、該膨出壁部につながり該床付き布わくの下面部に向けて伸延する傾斜壁部と、該傾斜壁部につながり該床付き布わくの下面部に合わさる平坦壁部とを有することを特徴とする請求項６に記載したつかみ金具を備えた床付き布わく。
【請求項８】
前記カバーは、前記カバー本体および傾斜壁部をそれぞれ切り起すことによって形成され、前記フックの側面に位置して該フックの横方向への変形を防止する舌片を有することを特徴とする請求項７に記載したつかみ金具を備えた床付き布わく。
【発明の詳細な説明】
【技術分野】
【０００１】
本発明は、作業床や作業通路を構築する際に使用される床付き布わく（または板付き布わく）を、建わくの横架材や足場の腕木材に取り付けるのに好適なつかみ金具およびそのつかみ金具を備えた床付き布わくに関するものである。以下、建わくの横架材や足場の腕木材を単に「横部材」と記す。
【背景技術】
【０００２】
作業床や作業通路を構築するのに使用される床付き布わくは、一対の短辺とこれら短辺につながる一対の長辺にて区画形成された輪郭形状を有する矩形の板状体を用いて構成された図２５に示すようなものが知られており、板状体の四隅に設けられた固定用金具を図２６に示すように横部材に引っ掛けることにより水平状態で取り付けるようにしている。
【０００３】
この種の床付き布わくは、風の吹き上げや下方からの予期しない突き上げ等によってつかみ金具が横部材から簡単に外れることがないように各つかみ金具にはロック機構を構成する外れ止め（可動爪）が必ず備えられている。
【０００４】
ところで、従来の床付き布わくに備えられている外れ止めは、スタッドを介してつかみ金具の本体部分に吊り下げ保持されており、その自重による移動（落下）でもって自動的にロックする、いわゆるセルフロック構造となっているため、床付き布わくの取り外しに際しては、その一端側で外れ止めによるロックを解除したのちその部位を一旦持ち上げ、そのままの状態でもう一端側で外れ止めによるロックを解除する作業が必要であり、この作業を一人で行う場合には、作業にかかる負担が大きく、（床付き布わくは、重量（質量）が１枚につき１４〜１６ｋｇ程度）、床付き布わくの効率的な取り外しが行えない不具合を有していた。
【０００５】
また、従来の床付き布わくは、作業現場や資材置き場等へ運搬する場合には、床付き布わくの複数枚を積層したのち、結束バンドを用いて結束、梱包することにより運搬効率の改善を図るようにしているが、床付き布わくを積層するに際しては、上段に位置する床付き布わくの外れ止めが下段に位置する床付き布わくの外れ止めと干渉したり、床付き布わくの上面、下面に形成された凹凸（部材同士を接合する溶接部や床の上面に形成された滑り止め用の凹凸等）の影響により積層状態が不安定となることから、床付き布わくを上段と下段で水平方向にずらして積層する煩わしい作業を伴うことになり、床付き布わくの効率的な運搬を実施することができない不具合を有している。
【０００６】
この点に関する先行技術としては、例えば、特許文献１には、足場の取付け、取外し作業を１人の作業者で効率よく行うことを可能としたフック装置が提案されており、また、特許文献２には、仮設足場用布板の下面に下方へ向けて突出する突出部を設け、この突出部の水平方向における位置を、仮設足場用布板の上面に設けられた溶接部の水平方向における位置からずらし、かつ、該突出部の突出量が溶接部の盛り上がり量よりも大きくすることにより積層状態の安定化を図った仮設足場用布板が提案されている。
【０００７】
しかしながら、特許文献１で提案されているフック装置は、落下錠が上昇位置におかれていたとしても、落下錠に設けられた当接点は係合凹部の外側に突出した状態にあるため、足場板の取り外しに際して該当接点に不用意な力が付加された場合に、落下錠が下降位置へと簡単に動いてしまうこととなり、落下錠を再度上昇位置へと押し上げなければ足場の取外しが行えず、作業負担の軽減を図ることができるとはいい難いものであった。
【０００８】
一方、特許文献２で提案されている仮設足場用布板は、仮設足場用布板を積層するに当たっては、上段、下段における仮設足場用布板の相互間でのロック部材の干渉を解消することが可能ではあるものの、突出部の突出量を溶接部の盛り上がり量よりも大きくしているため仮設足場用布板の積層高さが高くなりがちであり、しかも、結束、梱包前の積層状態で床付き布わくに予期しない衝撃等が加えられた場合に、荷崩れを引き起こすことも懸念される。
【先行技術文献】
【特許文献】
【０００９】
【特許文献１】特開平１０−８８７９０号公報
【特許文献２】特開２００８−３０８８６２号公報
【発明の概要】
【発明が解決しようとする課題】
【００１０】
本発明の課題は、床付き布わくの、横部材からの効率的な取り外しが可能であり、かつ、外れ止め同士が干渉したり、予期しない衝撃に伴うに荷崩れのおそれなしに床付き布わくを直線的に積層できる新規な床付き布わくのつかみ金具およびその金具を備えた床付き布わくを提案するところにある。
【課題を解決するための手段】
【００１１】
本発明は、床付き布わくの長手方向の端部に設けられ、足場を構築する横部材に連係させることにより該床付き布わくを該横部材に取り付ける床付き布わくのつかみ金具であって、
下向きに開放された凹所を有し、該凹所の開放端を通して該横部材に引っ掛けるフックと、該フックの側面に設けられ、爪部を該凹所の開放端に位置させることにより該フックをロック状態に保持して該床付き布わくの、該横部材からの取り外しを不能とする一方、該爪部を該凹所の開放端から退避させることにより該フックのロックを解除して該床付き布わくの、該横部材からの取り外しを可能とする外れ止めとを備え、
前記フックは、一方の側面に、先端に頭部を有し上下に間隔を隔てて固定保持される２本のスタッドを有し、
該外れ止めは、各スタッドをそれぞれ挿通させるとともに該スタッドにて該外れ止めそのものをフックの側面に吊り下げ保持する上下２つの長孔と、外縁部の対向位置に形成された凸部、凹部とを有し、該上下２つの長孔の、該スタッドに対する位置変更により曲線軌道を描くよう上下に移動可能であり、かつ、該フックのロック状態で該凸部が該外れ止めの頂部に位置し、該凹部が該外れ止めの下部に位置するものであることを特徴する床付き布わくのつかみ金具である。
【００１２】
上記の構成からなる床付き布わくのつかみ金具において、前記凹部は、前記凸部と同一形状になる他の凸部の受け入れを可能とし、該他の凸部の受け入れ状態において床付き布わくの長手方向に沿う移動を不能とする開放面を有し、前記凸部は、該凹部と同一形状になる他の凹部に適合可能で、該他の凹部との適合状態において該床付き布わくの長手方向に沿う移動を不能とする膨出突端を有することが好ましい。
【００１３】
また、前記凹部の開放面は、前記横部材の外表面に適合可能な開放面であること、前記長孔のうち、下側に位置する長孔は、一端が該長孔の開口部につながり、他端に行き止まり端が形成された切欠き部を有し、該切欠き部は、下側に位置するスタッドを入れ込むことにより前記凹部を前記凹所の開放端に位置させて前記床付き布わくを該凹部を介して前記横部材の上に仮預け状態に保持するものであること、前記長孔のうち、上側に位置する長孔は、上側に位置するスタッドの少なくとも一部分が入り込む切欠き部を有するものであること、前記フックの頭頂は、前記床付き布わくの床板面と同じ高さを有すること、が課題解決のための具体的手段として好ましい。
【００１４】
また、本発明は、上記の構成からなるつかみ金具を備えた床付き布わくにおいて、該床付き布わくは、床付き布わくの長手方向の端部において固定保持され、該床付き布わくの長手方向の端部から前記フックの少なくとも引っ掛かり中心に至るまでの領域を該床付き布わくの床面板の延長線上において覆い隠すカバーを備え、前記カバーは、一端が該床面板につながり、他端が前記フックの少なくとも引っ掛かり中心に位置するカバー本体と、該カバー本体の下方に位置して該カバー本体を支える支持板からなり、該支持板は、該カバー本体の他端につながりアール（Ｒ）を付加して折り曲げられた湾曲壁部と、該湾曲壁部につながり該カバー本体の裏面に向けて隆起した膨出壁部と、該膨出壁部につながり該床付き布わくの下面部に向けて伸延する傾斜壁部と、該傾斜壁部につながり該床付き布わくの下面部に合わさる平坦壁部とを有することを特徴とするつかみ金具を備えた床付き布わくである。
【００１５】
前記カバーには、必要に応じて前記カバー本体および傾斜壁部をそれぞれ切り起すことによって形成され、前記フックの側面に位置して該フックの横方向への変形を防止する舌片を設けることができる。
【発明の効果】
【００１６】
本発明によれば、フックがロック状態におかれているとき、凸部が外れ止めの頂部に位置し、該凹部が外れ止めの下部に位置するため、床付き布わくの積層時に、凹部が、下段に位置する床付き布わくの外れ止めの凸部（他の凸部）を受け入れる一方、凸部が上段に位置する床付き布わくの外れ止めの凹部に適合することになり、つかみ金具同士の干渉は起こらず、床付き布わくを直線的に積層することができる。
【００１７】
また、本発明によれば、床付き布わくの積層状態において、予期しない衝撃を受けたとしても凸部と凹部によって床付き布わくの動きが規制されるため、荷崩れを起すこともない。
【００１８】
また、本発明によれば、下側に位置する長孔に設けた切欠き部に、下側に位置するスタッドを入れ込むことにより前記凹部が前記凹所の開放端に位置するため、該凹部の開放面を横部材の外表面に適合させて床付き布わくを仮預け姿勢に保持することが可能となり、一人の作業者により床付き布わくを効率的に取り外すことができる。
【００１９】
また、本発明によれば、上側に位置する長孔に設けられた切欠き部に、上側に位置するスタッドを入れ込むことにより、外れ止めの上方位置での姿勢が安定化されるため、床付き布わくの取り外し等のハンドリング時において不用意な衝撃を受けたとしても、外れ止めが、自重により簡単に下方へと移動することがない。
【００２０】
また、本発明によれば、フックの頭頂の高さが、床付き布わくの床板面と同じ高さであるため、作業床、作業通路での突っ掛かりをなくすことができる。
【００２１】
また、本発明によれば、床付き布わくの長手方向の端部からフックの少なくとも引っ掛かり中心に至るまでの領域をカバーで覆うようにしたため、該領域からの工具等の落下を防止することが可能であり安全性が高められる。
【００２２】
さらに、本発明によれば、フックに衝撃が加えられるようなことが起きてもカバー本体および傾斜壁部をそれぞれ切り起すことによって形成された舌片により該衝撃を効果的に吸収することが可能であり、フックの、衝撃に起因した変形が防止される。
【図面の簡単な説明】
【００２３】
【図１】本発明にしたがうつかみ金具の実施の形態を模式的に示した外観斜視図である。
【図２】図１に示したつかみ金具の分解状態を示した外観斜視図である。
【図３】（ａ）は、図１に示したつかみ金具の正面を示した図であり、（ｂ）は、図１に示したつかみ金具の平面を示した図である。
【図４】（ａ）は、図１に示したつかみ金具の底面を示した図であり、（ｂ）は、図１に示したつかみ金具の背面を示した図である。
【図５】（ａ）は、図１に示したつかみ金具の右側面を示した図であり、（ｂ）は、図１に示したつかみ金具の左側面を示した図である。
【図６】外れ止めの拡大図である。
【図７】（ａ）〜（ｃ）は、外れ止めの移動状況を示した図である。
【図８】つかみ金具を備えた床付き布わくの実施の形態を模式的に示した外観斜視図である。
【図９】（ａ）は、図８に示した床付き布わくを、隣接配置される他の床付き布わくとともに横部材に取り付けた状況を平面について示した図であり、（ｂ）は、その側面図である。
【図１０】床付き布わくの長手方向の端部をつかみ金具とともに示した拡大図である。
【図１１】本発明にしたがうつかみ金具の変形例を示した図である。
【図１２】カバーの外観斜視図である。
【図１３】（ａ）は、カバーの平面を示した図であり、（ｂ）は、カバーの正面を示した図であり、（ｃ）は、カバーの側面を示した図である。
【図１４】（ａ）〜（ｅ）は、本発明にしたがうつかみ金具を備えた床付き布わくを横部材に取り付ける状況を示した図である。
【図１５】（ａ）〜（ｄ）は、本発明にしたがうつかみ金具を備えた床付き布わくを横部材から取り外す状況を示した図である。
【図１６】（ａ）〜（ｅ）は、本発明にしたがうつかみ金具を備えた床付き布わくを横部材の仮預け状態に保持する状況を示した図である。
【図１７】（ａ）〜（ｃ）は、切欠き部の切欠き長さの違いによる外れ止めと横部材との位置関係を示した図である。
【図１８】本発明にしたがうつかみ金具の他の実施の形態を外れ止めについて示した図である。
【図１９】図１８に示した外れ止めの使用状態を示した図である。
【図２０】床付き布わくを積層させた状況を要部について示した図である。
【図２１】床付き布わくの、従来の積層状況を示した図である。
【図２２】本発明にしたがう床付き布わくの積層状況を示した図である。
【図２３】本発明にしたがうつかみ金具の他の例を示した図である。
【図２４】本発明にしたがうつかみ金具の他の例を示した図である。
【図２５】従来の床付き布わくの外観斜視図である。
【図２６】従来の床付き布わくを横部材に取り付けた状態を示した図である。
【発明を実施するための形態】
【００２４】
以下、図面を参照して本発明をより具体的に説明する。
図１は、本発明にしたがうつかみ金具の実施の形態を模式的に示した外観斜視図であり、図２は、図１に示したつかみ金具の分解状態を示した外観斜視図である。また、図３（ａ）（ｂ）は、図１に示したつかみ金具の正面、平面を示した図であり、図４（ａ）（ｂ）は、図１に示したつかみ金具の底面、背面を示した図であり、図５（ａ）（ｂ）は、図１に示したつかみ金具の右側面、左側面をそれぞれ示した図であり、さらに、図６は、外れ止めの拡大図である。なお、つかみ金具は、一般構造用の鉄鋼材（ＳＳ４００等）を用いて構成することができ、床付き布わくは、溶融亜鉛めっき鋼板（ＳＧＨＣ等）を用いて構成することができる。
【００２５】
図１〜６における符号１は、つかみ金具の本体部分を構成するフックである。フック１は、下向きに開放された凹所１ａを有し、該凹所１ａの開放端１ａ１を通して横部材に引っ掛けることができるようになっている。
【００２６】
フック１は、ここでは、円形断面を有するパイプ等を横部材として、それに引っ掛けることが可能な逆Ｕ字形状をなす凹所１ａを有するものを例として示したが、凹所１ａの形状は、横部材の断面形状に応じて種々変更することが可能であり、図示のものに限定されない。
【００２７】
また、符号２ａ、２ｂは、フック１の一方の側面に設けられた上下２本のスタッドである。スタッド２ａ、２ｂは、スタッド本体２ａ１、２ｂ１と、このスタッド本体２ａ１、２ｂ１の先端につながる頭部２ａ２、２ｂ２から構成されており、これらは上下に間隔を隔てて固定保持されている。
【００２８】
また、符号３は、フック１の側面に設けられた外れ止めである。外れ止め３は、横部材の一部の外表面に沿わせることができる湾曲面３ａを有し、該湾曲面３ａにつながる頂辺３ｂと、該頂辺３ｂにつながる上部外側辺３ｃと、該上部外側辺３ｃにつながる下部外側辺３ｄにて取り囲まれた、全体として「Ｃの字（若しくは逆Ｃの字）」状の輪郭形状からなる板状片を適用することができ、その下端部には爪部３ｅおよび凹部３ｆが形成されている。
【００２９】
外れ止め３は、スタッド２ａ、２ｂをそれぞれ挿通させるとともに該スタッド２ａ、２ｂにて外れ止め３そのものをフック１の側面に吊り下げ保持する２つの長孔３ｇ、３ｈ（以下、長孔３ｇを上長孔３ｇと記し、長孔３ｈ下長孔３ｈと記す。）と、外縁部の対向位置に形成された凸部３ｉ、凹部３ｆとを有しており、図７（ａ）〜（ｃ）に基本的な動きを示すように、上長孔３ｇ、下長孔３ｈの、スタッド２ａ、２ｂに対する位置変更により曲線軌道を描くよう上下に移動可能であり、かつ、外れ止め３の爪部３ｅを凹所１ａの開放端１ａ１に位置させた状態では該凸部３ｉが外れ止め３の頂部に位置し、該凹部３ｆが外れ止め３の下部に位置するようになっている。なお、本発明において、外れ止め３の爪部３ｅを、凹所１ａの開放端１ａ１に位置させるとは、外れ止め３をフック１の最も下方へと移動させた図７（ａ）に示すような状態をいうものとする。
【００３０】
凹部３ｆは、凸部３ｉと同一形状になる他の凸部の受け入れを可能とし、該他の凸部の受け入れ状態において床付き布わくの長手方向に沿う移動を不能とするとともに横部材の外表面に適合可能な開放面を有しており、爪部３ｅに隣接して設けられている。
【００３１】
また、凸部３ｉは、凹部３ｆと同一形状になる他の凹部に適合可能で、該他の凹部との適合状態において床付き布わくの長手方向に沿う移動を不能とする膨出突端を有している。なお、本発明において、凸部３ｉと同一形状になる他の凸部とは、本発明と同一の構成からなる外れ止めの凸部を意味しており、凹部３ｆと同一形状になる他の凹部とは、本発明と同一の構成からなる外れ止めの凹部を意味している。
【００３２】
上長孔３ｇとしては、具体的には、図６に示すように、上端部に行き止まり端を有し下端部が開放された上開孔３ｇ１と、下端部に行き止まり端を有し上端部が開放された下開孔３ｇ２と、上開孔３ｇ１の下端部および下開孔３ｇ２の上端部に屈曲点Ｐ１、Ｐ２を介してそれぞれつながる中間開孔３ｇ３にて構成されたものを適用することができる。
【００３３】
また、下長孔３ｈとしては、上端部に行き止まり端を有し下端部が開放された上開孔３ｈ１と、下端部に行き止まり端を有し上端部が段部ｄを介して上開孔３ｈ１の下端部につながる下開孔３ｈ２にて構成されたものを適用することができる。
【００３４】
また、符号４は、下長孔３ｈに設けられた切欠き部である。該切欠き部４は、スタッド２ｂを入れ込むことができる幅に設定されており、一端が下長孔３ｈの上開孔３ｈ１につながり、他端に行き止まり端が形成されている。
【００３５】
外れ止め３の移動に際して、スタッド２ｂを切欠き部４に入れ込むことにより凹所１ａの開放端１ａ１に凹部３ｆを位置させることができる（図１６（ａ）〜（ｄ）参照）。
【００３６】
図８は、上記の構成からなるつかみ金具を備えた床付き布わくの実施の形態を模式的に示した外観斜視図であり、図９（ａ）（ｂ）は、図８に示した床付き布わくを、隣接配置される他の床付き布わくとともに横部材に取り付けた状況を平面、側面について示した図であり、図１０は、床付き布わくの長手方向の端部をつかみ金具とともに示した拡大図である。
【００３７】
上掲図８〜１０における符号５は、床付き布わくである。床付き布わく５は、床面板５ａと、この床面板５ａの幅方向の端部につながる一対の側板５ｂにて構成された、例えば、溝型断面形状を有するもので構成することができる。つかみ金具を床付き布わく５に組み付けるにあたっては、対角線上に位置するつかみ金具の一組について、フック１の本体部分を、図１１に示すように屈曲させておくのがよく、これにより、図９（ａ）（ｂ）に示す如く、床付き布わく５同士を同一の横部材に直線的に取り付けることができる。
【００３８】
本発明にしたがう床付き布わく５においては、床付き布わく５の長手方向の端部に固定保持され、該端部からフック１の少なくとも引っ掛かり中心Ｎに至るまでの領域Ｌ（図１０参照）を床面板５ａの延長線上において覆い隠すカバー６を設けることが可能であり、このカバー６により、その領域に形成される隙間からの工具等の落下を確実に防止することができる。
【００３９】
図１２は、カバー６のみを示した外観斜視図であり、図１３（ａ）〜（ｃ）は、カバー６の平面、正面および側面を示した図である。
【００４０】
カバー６としては、一端が床付き布わくの５の床面板５ａにつながり、他端がフック１の少なくとも引っ掛かり中心Ｎに位置するカバー本体６ａと、該カバー本体６ａの下方に位置して該カバー本体６ａを支える支持板６ｂからなるものを適用することができる。
【００４１】
カバー本体６ａは、床付き布わく５の床板面５ａに連続的につながる平坦な板状部材を用いることができる。また、支持板６ｂは、カバー本体６ａの他端につながりアール（Ｒ）を付加して折り曲げられた湾曲壁部６ｂ１と、該湾曲壁部６ｂ１につながりカバー本体６ａの裏面に向けて隆起した膨出壁部６ｂ２と、該膨出壁部６ｂ２につながり該床付き布わくの下面部に向けて伸延する傾斜壁部６ｂ３と、該傾斜壁部６ｂ３につながり床付き布わくの下面部に合わさる平坦壁部６ｂ４からなるものを用いることができる。
【００４２】
とくに、支持板６ｂを、湾曲壁部６ｂ１、膨出壁部６ｂ２、傾斜壁部６ｂ３および平坦壁部６ｂ４によって構成することによりカバー本体６ａを強固に支えることができる。
【００４３】
フック１は、本体部分の基部で床付き布わく５の側板５ｂにリベットを介して固定されるか、あるいは溶接により接合されることになるが、いずれの方式が採用されたとしても、フック１は、片持ち状態で床付き布わく５の側板５ｂにつながることになるため、例えば、つかみ金具に、床付き布わく５の幅方向に沿う向きで不用意な衝撃が加えられた場合に、フック１は固定部分を起点にして横方向へと変形してしまうことも懸念される。
【００４４】
このため、必要に応じてカバー６には、カバー本体６ａおよび傾斜壁部６ｂ３を幅方向の縁部においてそれぞれ切り起され、フック１の側面に位置してフック１の横方向への変形を防止する舌片７、８を設けることができる。
【００４５】
カバー６の、床付き布わく５への固定は、溶接、リベット等により適宜固定される。
【００４６】
フック１の頭頂は、床付き布わく５の床面板５ａと同じ高さとするのが好ましく、カバー６を設置しても段差が形成されることがない。カバー６には、幅方向に沿う１箇所若しくは２箇所以上の屈曲部を設けることも可能であり、該屈曲部にて傾斜を形成してもよい。
【００４７】
図１４（ａ）〜（ｅ）は、本発明にしたがうつかみ金具を備えた床付き布わく５を横部材に取り付ける状況を示した図である。
【００４８】
本発明にしたがうつかみ金具を備えた床付き布わく５を横部材に取り付けるには、外れ止め３の爪部３ｅを横部材の上方に当接させ、その状態を維持しながらフック１を床付き布わく５とともに下降させる。そうすると外れ止め３は、図１４（ｂ）、（ｃ）に示すように上方へ移動することとなり、フック１の凹所１ａが開放され、図１４（ｄ）に示すように開放端１ａ１を通して横部材が凹所１ａに入り込むことになる。
【００４９】
横部材がフック１の凹所１ａに入り込んだのちにおいては、外れ止め３は、図１４（ｅ）に示すように、自重により下方へ移動し、この状態で床付き布わく５の、横部材への取り付けが完了することとなる。
【００５０】
床付き布わく５が横部材に取り付けられた状態では、外れ止め３の爪部３ｅは、横部材の下部に位置することになるため、床付き布わく５の、横部材からの取り外しは不能となる（ロック状態）。
【００５１】
図１５（ａ）〜（ｄ）は、本発明にしたがうつかみ金具を備えた床付き布わく５を横部材から取り外す状況を示した図である。
【００５２】
本発明にしたがうつかみ金具を備えた床付き布わく５を横部材から取り外すには、図１５（ｂ）、（ｃ）に示すように、外れ止め３を手指でもって上方へ移動させ、爪部３ｅをフック１の凹所１ａの開放端１ａ１から退避させたのち、図１５（ｄ）に示すように、床付き布わく５を引き上げればよい。
【００５３】
外れ止め３が図１５（ｄ）のような状態におかれた場合（ロックの解除）、フック１の凹所１ａに突き出された外れ止め３の突出端３ｊが押圧されない限りその姿勢はそのまま維持（固定）されることとなり、一人の作業でもって床付き布わくを効率的に取り外すことができる。
【００５４】
図１６（ａ）〜（ｅ）は、本発明にしたがうつかみ金具を備えた床付き布わく５を横部材の仮預け状態に保持する状況を示した図である。ここに、仮預け状態とは、床付き布わく５を横部材から取り外し、取り外した床付き布わく５を一旦、横部材の上に載せておくことをいうものとする。
【００５５】
本発明にしたがうつかみ金具を備えた床付き布わく５を横部材に仮預け状態に保持するには、図１６（ａ）〜（ｃ）に示すように、外れ止め３を上方へ移動させ、さらに、図１６（ｄ）に示すように、スタッド２ｂ（２ｂ１）を切欠き部４に入れ込んで凹部３ｆをフック１の凹所１ａの開放端１ａ１に位置させ、図１６（ｅ）に示すように、床付き布わく５を該凹部３ｆを介して横部材の上に載置すればよい。床付き布わく５の取り外しに際して該床付き布わく５を仮預け状態に保持することで作業の軽減を図ることができる。
【００５６】
図１７（ａ）〜（ｃ）は、切欠き部４の切欠き長さｅの違いによる外れ止め３と横部材との位置関係を示した図である。外れ止め３の爪部３ｅと凹部３ｆとの境界を外れ止め３の接点ｄとし、横部材の径方向の中心Ｏを通る垂直線を基準線Ｍとして、該横部材の径方向の中心Ｏを起点とする該基準線Ｍと外れ止め３の接点ｄとのなす角度を外れ止め３の接点角度θとした場合に、接点角度θが、＋３０°〜−５°の範囲となるような長さｅを有する切欠き部４を設けるのが好ましく、これにより床付き布わく５を安定した姿勢のもとで仮預け状態に保持しておくことができる。なお、接点角度θにおいて、基準線Ｍから時計周り方向の角度を（+）とし、該基準線Ｍから反時計周り方向の角度を（−）とする。
【００５７】
とくに、接点角度θが０°（基準線Ｍと一致する角度）を超え、マイナス方向の角度になる、図１７（ｃ）の如き状況では、床付き布わく５の仮預け姿勢が安定化していき、接点角度θが−４°程度になると凹部３ｆと横部材の外表面との接触面積が最大となり、床付き布わく５の仮預け姿勢がより一層安定する。切欠き部４の長さｅは、スタッド２ｂの径と同等以上とするのが好ましい。
【００５８】
図１８は、本発明にしたがうつかみ金具の他の実施の形態を外れ止め３について示した図である。外れ止め３の、上長孔３ｇの屈曲点Ｐ１の部位（図６参照）、すなわち、下開孔３ｇ２と中間開孔３ｇ３との境界の外側縁部には、スタッド２ａの入り込みを可能とする切欠き部３ｇ４を設けておくことができ、この切欠き部３ｇ４にスタッド２ａを位置させた図１９に示すような状態（ロックが解除された状態）では、その姿勢が安定的に維持されることとなり、床付き布わく５を取り外すハンドリング時において外れ止め３に不用意な衝撃が加えられたとしても、外れ止め３が自重によって簡単に下方に移動することはなく、床付き布わく５の取り外し作業を効率的に行い得る。
【００５９】
図２０は、外れ止め３の爪部３ｅを凹所１ａの開放端１ａ１に位置させた状態、すなわち、フック１をロック状態に保持して床付き布わく５を積層させた状況を要部について示した図である。
【００６０】
従来は、つかみ金具の外れ止めが上下において干渉するのが避けられないことから、例えば、図２１に示すように、床付き布わくを交互にずらしながら積層する必要があったが、本発明にしたがうつかみ金具は、外れ止め３の凹部３ｆが、凸部３ｉと同一形状になる他の凸部（下段に位置する床付き布わくのつかみ金具の外れ止めにおける凸部）の受け入れを可能としており、また凸部３ｉは、凹部３ｆと同一形状になる他の凹部（上段に位置する床付き布わくのつかみ金具の外れ止めにおける凹部）に適合可能であるため、床付き布わく５を図２２に示すように直線的に積層することができる。しかも、このような積層状態では、不用意な衝撃を受けたとしても、凹部３ｆは、下段に位置する床付き布わく５のつかみ金具における外れ止め３の凸部３ｉに接触する一方、凸部３ｉは、上段に位置する床付き布わく５のつかみ金具における外れ止め３の凹部３ｆに接触することになるため、床付き布わくの動きは規制され、荷崩れを起すこともない。
【００６１】
図２３、図２４は、外れ止め３の輪郭形状および上長孔３ｇ、下長孔３ｈ、切欠き部４（図６に示したもの）の形状、長さ等を適宜変更した、本発明にしたがうつかみ金具の他の例を示した図である。
【００６２】
外れ止め３の爪部３ｅがフック１の凹所１ａの開放端１ａ１に位置させた状態で凸部３ｉが外れ止め３の頂部に位置し、凹部３ｆが下部に位置するものであれば、外れ止め３の輪郭形状や上長孔３ｇ、下長孔３ｈ、切欠き部４の形状や長さは任意に変更し得る。
【産業上の利用可能性】
【００６３】
本発明によれば、床付き布わくの、横部材からの効率的な取り外しが可能で、かつ、外れ止め同士が干渉したり、予期しない衝撃に伴う荷崩れのおそれなしに床付き布わくの積層を可能とするつかみ金具およびそのつかみ金具を備えた床付き布わくが提供できる。
【符号の説明】
【００６４】
１      フック
１ａ    凹所
１ａ１  開放端
２ａ    スタッド
２ｂ    スタッド
３      外れ止め
３ａ    湾曲面
３ｂ    頂辺
３ｃ    上部外側辺
３ｄ    下部外側辺
３ｅ    爪部
３ｆ    凹部
３ｇ    長孔（上長孔）
３ｇ４  切欠き部
３ｈ    長孔（下長孔）
３ｉ    凸部
３ｊ    突出端
４      切欠き部
５      床付き布わく
５ａ    床面板
５ｂ    側板
６      カバー
６ａ    カバー本体
６ｂ    支持板
６ｂ１  湾曲壁部
６ｂ２  膨出壁部
６ｂ３  傾斜壁部
６ｂ４  平坦壁部
７      舌片
８      舌片
【図１】
2020090794.tif 000003
【図２】
2020090794.tif 000004
【図３】
2020090794.tif 000005
【図４】
2020090794.tif 000006
【図５】
2020090794.tif 000007
【図６】
2020090794.tif 000008
【図７】
2020090794.tif 000009
【図８】
2020090794.tif 000010
【図９】
2020090794.tif 000011
【図１０】
2020090794.tif 000012
【図１１】
2020090794.tif 000013
【図１２】
2020090794.tif 000014
【図１３】
2020090794.tif 000015
【図１４】
2020090794.tif 000016
【図１５】
2020090794.tif 000017
【図１６】
2020090794.tif 000018
【図１７】
2020090794.tif 000019
【図１８】
2020090794.tif 000020
【図１９】
2020090794.tif 000021
【図２０】
2020090794.tif 000022
【図２１】
2020090794.tif 000023
【図２２】
2020090794.tif 000024
【図２３】
2020090794.tif 000025
【図２４】
2020090794.tif 000026
【図２５】
2020090794.tif 000027
【図２６】
2020090794.tif 000028